(57)【要約】【課題】ベルト脱着機構付きＶプーリにおいて、簡単な構成で、Ｖベルトを損傷させることなく、容易に脱着できるようにする。【解決手段】Ｖプーリ本体３におけるＶベルト５０が装着されるＶ溝２の一方の側壁４の一部を切り欠いて切欠部を形成し、ガイド部材１０をＶプーリ本体３における一方の側壁４側の側面３ａに脱着可能に取り付け、Ｖプーリ本体３の回転に伴って切欠部へＶベルト５０を誘導するようにする。ガイド部材１０を取り外した後、Ｖ溝２の一部に嵌合部材を嵌め込めるようにしてもよい。【選択図】図１
2013083320.tif 000002
【特許請求の範囲】
【請求項１】
Ｖベルトが装着されるＶ溝の一方の側壁の一部が切り欠かれた切欠部を有するＶプーリ本体と、
上記Ｖプーリ本体における上記一方の側壁側の側面に取り付けられ、該Ｖプーリ本体の回転に伴って上記切欠部へ上記Ｖベルトを誘導するガイド部材とを備え、
上記ガイド部材は、上記Ｖプーリ本体に対して脱着可能に構成されている
ことを特徴とするベルト脱着機構付きＶプーリ。
【請求項２】
請求項１に記載のベルト脱着機構付きＶプーリにおいて、
上記ガイド部材を取り外した後、少なくとも上記切欠部に嵌め込まれる嵌合部材をさらに備える
ことを特徴とするベルト脱着機構付きＶプーリ。
【請求項３】
請求項１又は２に記載のベルト脱着機構付きＶプーリにおいて、
上記ガイド部材は、上記Ｖベルトが装着されるガイド用Ｖ溝を有し、該ガイド用Ｖ溝の溝底は、上記Ｖプーリ本体の中心からの半径が徐々に大きくなり、上記切欠部へ連続している
ことを特徴とするベルト脱着機構付きＶプーリ。
【請求項４】
請求項１又は２に記載のベルト脱着機構付きＶプーリにおいて、
上記ガイド部材は、
円弧状外周面を有する誘導部と、
上記誘導部に連結され、上記切欠部を跨ぐ連結部と、
上記連結部の先端に設けられ、上記Ｖ溝の溝底に載置される取付部とを有する
ことを特徴とするベルト脱着機構付きＶプーリ。
【請求項５】
請求項１乃至４のいずれか１つに記載のベルト脱着機構付きＶプーリにおいて、
上記切欠部の側方から見たときの幅は、上記Ｖ溝の最大幅よりも大きい
ことを特徴とするベルト脱着機構付きＶプーリ。
【発明の詳細な説明】
【技術分野】
【０００１】
本発明は、Ｖベルトの脱着を容易にするベルト脱着機構付きＶプーリに関するものである。
【背景技術】
【０００２】
従来より、オートテンショナを有さないＶベルト駆動装置では、軸間距離が固定された駆動側プーリと従動側プーリとの間に適度な張力を保ってＶベルトを強制的に装着しようとすると、Ｖ溝の側壁を越さねばならず、伸縮性の低いＶベルトの場合、脱着作業が困難であることが知られている。Ｖベルトは、厚さが厚く幅が狭いため、強制的にＶプーリにねじ込もうとすると、Ｖ溝の側壁先端にベルトの底が押しつぶされて傷が入りやすく、また、その乗り上げた部分の頂点では、強制伸長による抗張体破壊により、Ｖベルトの早期破損の原因になるという問題が生じる。
【０００３】
そこで、例えば特許文献１のように、プーリのＶ溝に嵌りプーリに装着されるプーリ装着部と、ＶベルトをＶ溝から径外方向に離すＶベルトすくい部と、このＶベルトすくい部ですくわれたＶベルトを側方に案内する側方案内部とよりなるＶベルト取付け取外し治具と、プーリへの装着部と、プーリを回転するハンドル部とよりなるプーリ回転用治具とで構成されたＶベルト脱着具は知られている。
【０００４】
また、Ｖベルトではないが、特許文献２のように、タイミングベルトが係合する外歯を有するプーリ本体の一側に拡径状のフランジが形成され、このフランジに対向するプーリ本体の他側にタイミングベルトが係止して該係止部分よりタイミングベルトの一方側を外歯に係合した状態に保持すると共に係止部分よりタイミングベルトの他方側をタイミングベルトプーリの側方に誘導するベルトガイド部を有するタイミングベルトプーリが知られている。
【先行技術文献】
【特許文献】
【０００５】
【特許文献１】特開平９−２４２８３４号公報
【特許文献２】特開２００５−１９５０４１号公報
【発明の概要】
【発明が解決しようとする課題】
【０００６】
しかしながら、特許文献１では、Ｖベルト取付け取外し治具を嵌めたままＶベルトを駆動できないので、手動でＶプーリを駆動するためにハンドル部を有するプーリ回転用治具を用いなければならず、装置が複雑で大がかりなものとなるという問題があった。
【０００７】
また、特許文献２のものは、歯付ベルトであるため、必ずしもＶ溝のような側壁を設ける必要がなく、プーリの一方のフランジをなくすことも可能であるが、Ｖプーリの場合には、側壁の一方を全てなくすとＶベルトが外れるという問題がある。また、ベルト誘導部が取り外せない場合にベルト装着後のプーリの質量バランスが悪い。
【０００８】
本発明は、かかる点に鑑みてなされたものであり、その目的とするところは、簡単な構成で、Ｖベルトを損傷させることなく、Ｖプーリに容易に脱着できるようにすることにある。
【課題を解決するための手段】
【０００９】
上記の目的を達成するために、この発明では、Ｖ溝の切欠部へＶベルトを誘導するガイド部材をプーリ本体に脱着可能に設けた。
【００１０】
具体的には、第１の発明では、Ｖベルトが装着されるＶ溝の一方の側壁の一部が切り欠かれた切欠部を有するＶプーリ本体と、
上記Ｖプーリ本体における上記一方の側壁側の側面に取り付けられ、該Ｖプーリ本体の回転に伴って上記切欠部へ上記Ｖベルトを誘導するガイド部材とを備え、
上記ガイド部材は、上記Ｖプーリ本体に対して脱着可能に構成されている。
【００１１】
上記の構成によると、Ｖベルトの脱着時には、ガイド部材を取り付け、このガイド部材にＶベルトを掛けてＶプーリ本体を回転させることで、Ｖベルトを無理にねじ込まなくても、ＶベルトがＶ溝に徐々に嵌め込まれる。このとき、ガイド部材はＶプーリ本体の側面に設けられているので、Ｖベルトの駆動を阻害せず、Ｖプーリを手動で回転させるハンドル等の設置の省略が可能となる。
【００１２】
第２の発明では、第１の発明において、
上記ガイド部材を取り外した後、少なくとも上記切欠部に嵌め込まれる嵌合部材をさらに備える。
【００１３】
上記の構成によると、Ｖベルトの装着終了後にガイド部材を取り外して嵌合部材を嵌め込めば、Ｖプーリ本体の質量バランスが整って回転時の振動等が生じないようにすることができる。また、切欠部が埋まるので、見映えがよくなる。
【００１４】
第３の発明では、第１又は第２の発明において、
上記ガイド部材は、上記Ｖベルトが装着されるガイド用Ｖ溝を有し、該ガイド用Ｖ溝の溝底は、上記Ｖプーリ本体の中心からの半径が徐々に大きくなり、上記切欠部へ連続している。
【００１５】
上記の構成によると、Ｖベルトを伸長させすぎて痛めることなく、Ｖプーリ本体の回転に伴ってガイド用Ｖ溝に載ったＶベルトを張力を上げながら徐々にＶプーリのＶ溝に嵌め込むことができる。また、半径が徐々に大きくなるので、手でＶプーリを回す場合に回転開始時の駆動力が小さくて済み、徐々に駆動力を大きくすればよく、急にＶベルトがＶ溝に嵌り込んで指等を挟むということがなくなる。
【００１６】
第４の発明では、第１又は第２の発明において、
上記ガイド部材は、
円弧状外周面を有する誘導部と、
上記誘導部に連結され、上記切欠部を跨ぐ連結部と、
上記連結部の先端に設けられ、上記Ｖ溝の溝底に載置される取付部とを有する。
【００１７】
上記の構成によると、Ｖ溝に取付部を載置することで、この取付部に連結部によって連結された誘導部がプーリ本体に取り付けられる。この誘導部の円弧状外周面にＶベルトを掛け、Ｖプーリを回転させると、Ｖベルトが徐々にＶ溝に嵌められる。取付部の厚さは、乗り上げた部分の頂点で強制伸長による抗張体破壊が生じないように厚くしすぎないのが望ましい。
【００１８】
第５の発明では、第１乃至第４のいずれか１つの発明において、
上記切欠部の側方から見たときの幅が上記Ｖ溝の最大幅よりも大きくなっている。
【００１９】
上記の構成によると、Ｖベルトを切欠部を跨いでガイド用Ｖ溝からＶ溝へ渡しやすいので、Ｖベルトが無理にねじ込まれて損傷することなく、切欠部からＶ溝へ容易に嵌め込まれる。
【発明の効果】
【００２０】
以上説明したように、本発明によれば、Ｖプーリ本体の側面に取り付けたガイド部材によってＶプーリ本体の回転に伴って側壁が切り欠かれたＶ溝へＶベルトを誘導するようにし、ガイド部材をＶプーリ本体に対して脱着可能に構成したことにより、簡単な構成で、Ｖベルトを損傷させることなく、容易に脱着することができる。
【００２１】
また、ガイド部材を取り外した後、Ｖ溝の一部に嵌合部材を嵌め込めるようにしたことにより、Ｖプーリ回転時の質量バランスを悪化させないようにすることができる。
【図面の簡単な説明】
【００２２】
【図１】実施形態１にかかるＶプーリのガイド部材にＶベルトを装着した様子を示す斜視図である。
【図２】Ｖプーリの正面図である。
【図３】Ｖプーリの右側面図である。
【図４】Ｖプーリの左側面図である。
【図５】Ｖプーリの平面図
【図６】Ｖプーリの分解斜視図である。
【図７】実施形態２にかかる図１相当図である。
【図８】Ｖプーリの正面図である。
【図９】Ｖプーリの左側面である。
【図１０】Ｖプーリの平面図である。
【図１１】Ｖプーリの分解斜視図である。
【発明を実施するための形態】
【００２３】
以下、本発明の実施形態を図面に基づいて説明する。
【００２４】
（実施形態１）
図１〜図５は本発明の実施形態１のベルト脱着機構付きＶプーリ１を示し、このＶプーリ１は、外周にＶベルト５０が装着されるＶ溝２を有するＶプーリ本体３を備えている。
【００２５】
図６に示すように、Ｖプーリ本体３のＶ溝２を構成する側壁４の一方において、一部が切り欠かれて切欠部５が形成されている。図４に示すように、切欠部５の側方から見たときの幅Ｗ２は、Ｖ溝２の最大幅Ｗ１よりも大きく設定されている（Ｗ２＞Ｗ１）。この切欠部５は、Ｖプーリ本体３の側面３ａに延び、この側面３ａに側面視円弧状に凹陥された嵌合凹部６に連続している。この切欠部５及び嵌合凹部６には、これら切欠部５及び嵌合凹部６に対応する形状の、図６で仮想線で示す嵌合部材７が嵌合可能となっている。なお、通常、Ｖベルト５０は、横方向にずれようとする力はかからないので、この嵌合部材７を嵌め込まず、切欠部５のままにしておいてもよい。詳しくは図示しないが、嵌合部材７を嵌合凹部６に固定するために、嵌合部材７の寸法を調整して圧入するように構成してもよいし、図示しないビス等でプーリ本体３に締結するようにしてもよい。脱着の容易さを考慮すると、ビス締結構造が望ましい。また、嵌合部材７が嵌合されたときに、Ｖプーリ１の質量バランスに偏りがないようにするのが望ましく、嵌合部材７の表面と側面３ａとの高さが同一となっていると、見映えがよい。なお、詳しくは図示しないが、Ｖプーリ本体３は、嵌合凹部６のある側面３ａと反対側側面に回転軸が挿入されるボス部が形成されている。
【００２６】
そして、この嵌合部材７を取り外したときに、切欠部５及び嵌合凹部６にガイド部材１０が脱着可能となっている。このガイド部材１０が、Ｖプーリ本体３における一方の側壁４側の側面３ａ側に取り付けられた状態で、Ｖプーリ本体３の回転に伴って側壁４が切り欠かれたＶ溝２へＶベルト５０を誘導可能となっている。
【００２７】
ガイド部材１０のガイド用Ｖ溝１１は、図２に示すように、Ｖプーリ本体３の中心からの溝底半径が徐々に大きくなっている（ｒ１＜ｒ２＜ｒ３）。ガイド用Ｖ溝１１は、切欠部５に連続し、Ｖ溝２へ到るように構成されている。ガイド用Ｖ溝１１の断面形状は、図３に示すように断面矩形状としてもよいし、Ｖ溝２と同様に断面Ｖ字状としてもよい。断面矩形状の場合には、切欠部５を通過する際にＶベルト５０が適度に曲がって負荷がかかりにくい。断面Ｖ字状にする場合には、切欠部５を通過する際にＶベルトが適度に曲がるように断面形状を変化させればよい。
【００２８】
しかも、図４に示すように、切欠部５における、Ｖベルト５０の右側側面が当たる部分を丸めて丸面取り部５ａを形成すれば、Ｖベルト５０の損傷をさらに効果的に防止することができる。
【００２９】
次に、本実施形態にかかるベルト脱着機構付きＶプーリ１の使用方法について説明する。
【００３０】
Ｖベルト５０の装着時には、図１〜図５に示すように、ガイド部材１０をプーリ本体３に取り付けておく。
【００３１】
そして、図１に示すように、Ｖベルト５０の一端を他のＶプーリ１に装着した後、他端をＶ溝２の一部に掛けると共に、切欠部５を通してガイド用Ｖ溝１１に引っ掛ける。このとき、図４に示すように、切欠部５の側方から見たときの幅Ｗ２は、Ｖ溝２の最大幅Ｗ１よりも大きく設定されているので（Ｗ２＞Ｗ１）、Ｖベルト５０を切欠部５を跨いでガイド用Ｖ溝１１からＶ溝２へ渡しやすい。また、図２に示すように、ガイド用Ｖ溝１１の入口側の溝底半径ｒ１は、出口側の溝底半径ｒ３に比べて小さく設定しているので、Ｖベルト５０を無理にねじ込むことなくガイド用Ｖ溝１１に装着することができる。
【００３２】
次いで、図１の矢印の方向へＶベルト５０が進むように手動でＶプーリ１を回転させると、徐々にガイド用Ｖ溝１１からＶ溝２へＶベルト５０が装着されていく。最初の溝底半径ｒ１が小さく設定されているので、手動でも容易にＶプーリを回転することができ、無理やりねじ込んで指を挟んでしまうことはない。また、Ｖプーリ１を手動で回転させるためのハンドル等を設ける必要がない。また、切欠部５に丸面取り部５ａを形成する等により、Ｖベルトにかかる負荷を小さくしているので、Ｖベルト５０を伸長させすぎて痛めることもない。
【００３３】
Ｖプーリを９０°程度回転すると、ガイド用Ｖ溝１１にあったＶベルト５０が全てＶ溝２に嵌り込む。
【００３４】
このガイド部材１０を嵌めたままの状態でＶプーリ１を駆動させてＶベルト５０を駆動しても、ガイド部材１０が側面３ａに取り付けられているので、Ｖベルト５０の駆動を妨げることはない。
【００３５】
一方、図６に示すように、ガイド部材１０を取り外し、切欠部５及び嵌合凹部６に嵌合部材７を嵌め込んでもよい。この場合には、Ｖプーリ１の質量バランスが整って回転時の振動等が生じず、また見映えもよくなる。
【００３６】
したがって、本実施形態にかかるベルト脱着機構付きＶプーリ１によると、Ｖベルト５０を損傷させることなく、容易に脱着することができる。また、ガイド部材１０を取り外した後、Ｖ溝２の一部に嵌合部材１０を嵌め込めるようにしたことにより、Ｖプーリ１の回転時の質量バランスを悪化させないようにすることができる。
【００３７】
（実施形態２）
図７〜図１０は本発明の実施形態２のベルト脱着機構付きＶプーリ１０１を示し、ガイド部材１１０の構成が異なる点で上記実施形態１と異なる。なお、本実施形態では、図１〜図６と同じ部分については同じ符号を付してその詳細な説明は省略する。
【００３８】
図１１に示すように、本実施形態のプーリ本体１０３の切欠部１０５は、側壁４の部分のみを切り欠いた形状となっている。このため、嵌合部材１０７の形状もその側壁４に嵌め込まれる単純な形状となっている。嵌合部材１０７は、例えば図示しないビスをプーリ本体１０３の半径方向に締結することで脱着可能に構成されている。
【００３９】
ガイド部材１１０は、円弧状外周面１１１ａを有する誘導部１１１を有する。誘導部１１１は、例えば、円柱状又は丸パイプ状のもので構成される。誘導部１１１には、プーリ本体１０３の軸方向に延び、切欠部１０５を跨ぐ連結部１１２が連結されている。また、連結部１１２の先端には、Ｖ溝２の溝底に載置される取付部１１３が連結されている。取付部１１３の底面の内径は、Ｖ溝２の溝底の外径とほぼ等しく設定されている。取付部１１３の厚さは、Ｖベルト５０の乗り上げた部分の頂点で強制伸長による抗張体破壊が生じないように厚さが小さめに設定されている。ガイド部材１１０は、連結部１１２又は取付部１１３の部分をプーリ本体１０３にビスで固定してもよい。ビスで固定を行わなくても、取付部１１３が設けられているので、Ｖベルト５０を掛けたときにプーリ本体１０３から外れにくい。この場合には、ガイド部材１１０の脱着作業がさらに容易となる。
【００４０】
本実施形態においては、まず、Ｖプーリ１０１のＶベルト５０を装着する際に、Ｖ溝２に取付部１１３を載置するようにして切欠部１０５にガイド部材１１０を嵌め込む。
【００４１】
次いで、一端が他のプーリに装着されたＶベルト５０の他端をＶ溝２の一部に引っ掛けるようにしながら、切欠部１０５を通して円弧状外周面１１ａに引っ掛ける。このとき、切欠部１０５から離れた部分の円弧状外周面１１１ａにおける、プーリ本体１０３の中心からの距離は、切欠部１０５から離れるほど小さく、かつＶ溝２の溝底半径に比べて小さいので、Ｖベルト５０を無理に引っ張る必要がなく、簡単に装着が行える。また、取付部１１３の厚さが小さく設定されているので、取付部１１３に乗り上げている部分でＶベルト５０に強制伸長による抗張体破壊は起こらない。
【００４２】
次いで、手でプーリを図７に矢印で示す方向に回転させると、徐々にＶベルト５０がＶ溝２に嵌め込まれていく。
【００４３】
回転に伴って徐々にＶベルト５０の張力が増すので、過度の張力がＶベルト５０にかからず、Ｖベルト５０が損傷することはない。
【００４４】
さらにＶプーリ１０１を回転させてＶベルト５０が完全にＶ溝に装着されると、ガイド部材１１０を締結していない場合には、自重で落下する。締結等により固定している場合には、Ｖベルト５０が当接していない位置で、ガイド部材１１０を取り外せばよい。
【００４５】
この誘導部１１１の円弧状外周面１１１ａにＶベルト５０を掛けると、Ｖプーリ１を回転させると、円弧状外周面１１１ａのプーリ本体１０３の中心からの距離は、切欠部１０５に近付くほど大きくなっているので、Ｖベルト５０が徐々にＶ溝２に嵌められる。
【００４６】
したがって、本実施形態にかかるベルト脱着機構付きＶプーリ１０１においても、Ｖベルト５０を損傷させることなく、容易に脱着することができ、また、ガイド部材１１０を取り外した後、Ｖ溝２の一部に嵌合部材１１０を嵌め込めるようにすれば、Ｖプーリ１０１の回転時の質量バランスを悪化させないようにすることができる。
【００４７】
（その他の実施形態）
本発明は、上記実施形態について、以下のような構成としてもよい。
【００４８】
すなわち、上記実施形態では、実施形態１及び２のようにガイド部材の形状を説明したが、特にこの形状に限定されず、脱着可能で、切欠部を通るＶベルト５０を徐々にＶ溝２へ装着できるような形状であればよい。
【００４９】
上記各実施形態では、Ｖプーリ１，１０１は、１つのＶ溝２を有するものとしたが、複数のＶ溝が並んでいてもよい。その場合には、各Ｖ溝を構成する側壁の一部に切欠部を設け、ガイド部材から遠い側のＶ溝から順にＶベルト５０を装着するようにすればよい。
【００５０】
なお、以上の実施形態は、本質的に好ましい例示であって、本発明、その適用物や用途の範囲を制限することを意図するものではない。
【符号の説明】
【００５１】
１      Ｖプーリ（ベルト脱着機構付きＶプーリ）
２      Ｖ溝
３      Ｖプーリ本体
３ａ    側面
４      側壁
５      切欠部
７      嵌合部材
１０      ガイド部材
１１      ガイド用Ｖ溝
５０      Ｖベルト
１０１      Ｖプーリ（ベルト脱着機構付きＶプーリ）
１０３      プーリ本体
１０５      切欠部
１０７      嵌合部材
１１０      ガイド部材
１１１      誘導部
１１１ａ    円弧状外周面
１１２      連結部
１１３      取付部
【図１】
2013083320.tif 000003
【図２】
2013083320.tif 000004
【図３】
2013083320.tif 000005
【図４】
2013083320.tif 000006
【図５】
2013083320.tif 000007
【図６】
2013083320.tif 000008
【図７】
2013083320.tif 000009
【図８】
2013083320.tif 000010
【図９】
2013083320.tif 000011
【図１０】
2013083320.tif 000012
【図１１】
2013083320.tif 000013